(57)【要約】【課題】一体型ダンパーの開閉角度範囲を容易に変更することで、一体型ダンパーのメンテナンス性を損なわず、汎用性を向上させることを目的とする。【解決手段】ダンパー固定板３に取り付けられるダンパー板１０の突起部８に丸穴９を有し、カム７と丸穴９とを結合するシャフト１３を有することにより、突起部８の丸穴９の位置によってダンパー板１０の開く開閉角度範囲を任意に変化させ、ダンパー板１０の大きさや開閉角度範囲に対応することができるので、一体型ダンパーのメンテナンス性を損なわず、汎用性を向上することができる換気機器用ダンパー装置を提供できる。【選択図】図１
2011237114.tif 000002
【特許請求の範囲】
【請求項１】
モータとカムを備えたダンパーベースと、前記モータと前記カムを収納するダンパーカバーと、ダンパー固定板とダンパー板からなる換気機器用ダンパー装置において、
前記ダンパー板に丸穴を有した突起部を設け、
前記カムと前記丸穴とを結合するシャフトを設けたことを特徴とする換気機器用ダンパー装置。
【請求項２】
前記ダンパー板に回転支持部を備え、
この回転支持部を、２つの風路を区画する壁面に取り付けたことを特徴とする請求項１記載の換気機器用ダンパー装置。
【請求項３】
モータとカムを設けたダンパーベースと、前記モータと前記カムを収納するダンパーカバーと、ダンパー固定板とダンパー板からなる換気機器用ダンパー装置において、
前記ダンパー固定板には、ダンパーの回転軸と平行に折り曲げ部を設け、
前記ダンパー板に丸穴を有した突起部を設け、
前記カムと前記丸穴とを結合するシャフトを設けたことを特徴とする換気機器用ダンパー装置。
【請求項４】
前記折り曲げ部を複数有した請求項３記載の換気機器用ダンパー装置。
【請求項５】
前記シャフトをカム側シャフトとダンパー側シャフトに分割したことを特徴とする請求項１〜４記載のいずれかの換気機器用ダンパー装置。
【発明の詳細な説明】
【技術分野】
【０００１】
本発明は、建物内に据え付けられ、普通換気と熱交換気の風路切り変える熱交換機器など、換気風路の切り替えを行う換気機器に装着されるダンパー装置に関する。
【背景技術】
【０００２】
換気機器用ダンパー装置の従来例として図６〜図８を参照しながら説明する。なお図７は図６のＢ部拡大図、図８は図６を底部から見た図である。
【０００３】
図６〜図８に示すように、ダンパー装置１０１は、樹脂製のダンパー本体１０２と、樹脂製のダンパー固定板１０３と、樹脂製のダンパーカバー１０４から構成されている。ダンパー本体１０２の内部には、マイクロスイッチ１０７と、ダンパー用モータ１０８と、カム１０９が収納されている。ダンパー固定板１０３には、突起部１１１、１１２、１１３、丸穴１１４、１１５を備え、ダンパー板１０６には、丸穴１１６と角穴１１７、１１８、１１９を備えている。角穴１１８を突起部１１２にはめこみ、角穴１１７、１１９を各々突起部１１１、１１３に挟みこみ、丸穴１１５、丸穴１１６をねじ１２０で止め、ダンパー固定板１０３とダンパー板１０６を結合している。また、カム１０９とシャフト１１０とは  ねじ１２０で固定し、ダンパー本体１０２の開口部１０２Ａよりシャフト１１０を導出して、ダンパー固定板１０３の突起部１１２の丸穴１１４と連通固定している。ダンパー固定板１０３は折線１０５で切り込み、折り曲げが自由になる構造で結合している。
【０００４】
この構成により、ダンパー固定板１０３は簡単に折り曲げることができる構造で結合しているので、マイクロスイッチ１０７・ダンパー用モータ１０８を運転することにより、その回転運動がカム１０９を介して直進運動になり、シャフト１１０を介して突起部１１２に伝わり、ダンパー固定板１０３とダンパー板１０６の結合部で回転運動をおこない、ダンパー板１０６の開閉動作をおこなう。
【０００５】
ダンパー本体１０２を樹脂製により一体化し、かつ折り曲げが自由になる構造で結合したため、部品点数を減らすことができ、材料費、加工費の低減を図るができるが、開閉角度範囲を容易に変化することが出来ないので、多種にわたる換気機器への汎用性が伴っていない。
【先行技術文献】
【特許文献】
【０００６】
【特許文献１】特開平６−２６６８１号公報
【発明の概要】
【発明が解決しようとする課題】
【０００７】
このような従来の換気機器用ダンパー装置においては、シャフトの長さを変えることによりダンパーの開閉角度範囲を維持したまま開閉位置を変化させることは可能であるが、開閉角度範囲を変化させることができず、多種にわたる換気機器への汎用が困難であるという課題を有していた。
【０００８】
そこで本発明は、上記従来の課題を解決するものであり、ダンパー板の突起部に丸穴を有し、この丸穴とカムを結合するシャフトにより、一体型ダンパーの回転角度を容易に変更することで、メンテナンス性を損なわず、汎用性を向上させる換気機器用ダンパー装置を提供することを目的とする。
【課題を解決するための手段】
【０００９】
そして、この目的を達成するために、本発明は、モータとカムとマイクロスイッチを備えたダンパーベースと、前記モータと前記カムと前記マイクロスイッチを収納するダンパーカバーと、ダンパー固定板とダンパー板からなるダンパー装置において、前記ダンパー板の突起部に丸穴を有し、前記カムと前記丸穴とを結合するシャフトを有することを特徴とするものであり、これにより所期の目的を達成するものである。
【発明の効果】
【００１０】
本発明によれば、モータとカムとマイクロスイッチを備えたダンパーベースと、前記モータと前記カムと前記マイクロスイッチを収納するダンパーカバーと、ダンパー固定板とダンパー板からなるダンパー装置において、前記ダンパー板の突起部に丸穴を有し、前記カムと前記丸穴とを結合するシャフトを有するという構成にしたことにより、突起部の丸穴の位置によって、ダンパーの開く開閉角度範囲を任意に変化させることができる換気機器用ダンパー装置となるので、製品ごとに異なるダンパー板の大きさや開閉角度範囲に対応するという効果を得ることができる。
【図面の簡単な説明】
【００１１】
【図１】本発明の実施の形態１の換気機器用ダンパー装置の閉状態を示す斜視図
【図２】同換気機器用ダンパー装置の開状態を示す斜視図
【図３】同換気機器用ダンパー装置の構造を示す平面図
【図４】本発明の実施の形態２の換気機器用ダンパー装置の概略構造を示す斜視図
【図５】同換気機器用ダンパー装置の図１におけるＡ部の詳細を示す斜視図
【図６】従来の換気機器用ダンパー装置の概略構造を示す斜視図
【図７】同換気機器用ダンパー装置の図６におけるＢ部の詳細を示す斜視図
【図８】同換気機器用ダンパー装置の図６を下からみた斜視図
【発明を実施するための形態】
【００１２】
本発明の請求項１記載の換気機器用ダンパー装置は、モータとカムを備えたダンパーベースと、前記モータと前記カムを収納するダンパーカバーと、ダンパー固定板とダンパー板からなり、前記ダンパー板に丸穴を有した突起部を設け、前記カムと前記丸穴とを結合するシャフトを設けたという構成である。これにより、突起部の丸穴の位置によって、ダンパー板の開く開閉角度範囲を任意に変化させることができる換気機器用ダンパー装置とすることで、製品ごとに異なるダンパー板の大きさや開閉角度範囲に対応することができるという効果を奏する。
【００１３】
また、前記ダンパー板に回転支持部を備え、この回転支持部を、２つの風路を区画する壁面に取り付けたものである。このような構成により、壁面に取り付ける回転指示部の位置によって、ダンパーの開く開閉角度範囲とダンパーの位置を任意に変化させるので、製品ごとに異なるダンパーの大きさやダンパーの位置、開閉角度範囲に対応することができるという効果を奏する。
【００１４】
また、モータとカムを設けたダンパーベースと、前記モータと前記カムを収納するダンパーカバーと、ダンパー固定板とダンパー板からなり、前記ダンパー固定板には、ダンパーの回転軸と平行に折り曲げ部を設け、前記ダンパー板に丸穴を有した突起部を設け、前記カムと前記丸穴とを結合するシャフトを設けたものである。このような構成により、ダンパーの回転軸を簡略化しながら突起部の丸穴の位置によって、ダンパーの開く開閉角度範囲を任意に変化させることができるので、製品ごとに異なるダンパーの大きさや開閉角度範囲に対応することができるという効果を奏する。
【００１５】
また、前記折り曲げ部を複数有したものである。このような構成により、折線の位置によって、ダンパーの開く開閉角度範囲とダンパーの位置を任意に変化させることができるので、製品ごとに異なるダンパーの大きさやや位置や開度に対応することができるという効果を奏する。
【００１６】
また、前記シャフトをカム側シャフトとダンパー側シャフトに分割したものである。このような構成により、カム側シャフトとダンパー側シャフトを分割することでダンパー板を取り外すことなく、ダンパーベースを取り外すことができるので、ダンパーベースに備えたモータとカムのみのメンテナンスを容易に行うことができるという効果を奏する。
【００１７】
以下、本発明の実施の形態について、図面を参照しながら説明する。
【００１８】
（実施の形態１）
本発明の第１の実施の形態について、図１〜図３を用いて説明する。図１〜図３に示すように、ダンパー装置１は、ダンパーベース２と、ダンパー固定板３と、ダンパーカバー４から構成されている。ダンパーベース２はマイクロスイッチ５と、モータ６と、カム７を配し、これらを取り囲むような箱型形状となるダンパーカバー４によってダンパー装置１の内部に内装されている。ダンパー板１０には、２つの軸穴１１が備えられている。この軸穴１１は、ダンパー板１０の回転指示部となっていて、その回転軸は、ダンパー固定板３に備えられている２つの固定穴１２と接続して設けられる。また、ダンパー板１０には、丸穴９を備えた突起部８が設けられている。この丸穴９とカム７を連接するシャフト１３は、カム側シャフト１３ａとダンパー側シャフト１３ｂで構成されている。
【００１９】
このような構成において、その作用について説明する。
【００２０】
壁面１４で仕切られた２つの風路（図１、２における風路Ｑ１と風路Ｑ２）には、その２つの風路Ｑ１，Ｑ２を連通する開口１５が設けられている。そして、ダンパー板１０がこの開口１５を閉鎖できるように、ダンパー装置１とダンパー固定板３を壁面１４に取り付ける。シャフト１３は、壁面１４のシャフト穴１３ｃを貫通してダンパー板１０とカム７とを接続している。このような状態で、モータ６の回転運動をカム７に伝達し、カム７の回転運動をシャフト１３の往復運動に変化させると、軸穴１１を中心としてダンパー板１０が回転運動を行う。このダンパー板１０の回転によって、開口１５は、風路Ｑ１と風路Ｑ２が連通する「開」と風路Ｑ１と風路Ｑ２が連通しない「閉」となる。ダンパー装置１のダンパーカバー４は開口１５を避けて設けられ、かつシャフト１３は開口１５とは別に壁面１４に開口したシャフト穴１３ｃを貫通している。従って、ダンパー装置１は風路Ｑ２側に介在しているが、ダンパーカバー４内部は、風路Ｑ１と同じ空間となっている。そして、ダンパー板１０と一体になった突起部８は、開口１５とは別のシャフト穴１３ｃを通るシャフト１３と接続される位置になっているので、開口１５が風路Ｑ１と風路Ｑ２が連通する「開」状態と風路Ｑ１と風路Ｑ２が連通しない「閉」状態をダンパー板１０で確実に行うことができる。
【００２１】
上記構成おいて、このダンパー装置１の汎用性を上げるためには、ダンパー板１０が「開」「閉」となるときに開く角度１６に自由度を与えることである。シャフト１３の長さを変化させると、ダンパー板１０の「開」の位置「閉」の位置は変更することができるが開く角度１６自体は変更することができない。この位置を変更するためには、ダンパー板１０の丸穴９と軸穴１１およびカム７の寸法設計によるところとなる。そして、本発明によれば、突起部８の丸穴９位置と壁面１４に取り付ける軸穴１１の位置によって、ダンパー板１０の開く開閉角度範囲とダンパー板１０の位置を任意に変化させることができるので、製品ごとに異なるダンパー板１０の大きさやダンパー板１０の位置、開閉角度範囲に対応することができる。また、ダンパー装置１のメンテナンス時において、シャフト１３をカム側シャフト１３ａとダンパー側シャフト１３ｂで分割することが可能であるので、ダンパー固定板３とダンパー板１０を壁面１４から外すことなく、ダンパーベース２を壁面１４から着脱することができ、ダンパーベース２に備えたモータ６とカム７のメンテナンスを容易に行うことができる。
【００２２】
（実施の形態２）
図４〜図５において、図１〜図３と同様の構成要素については同一の符号を付し、その詳細な説明は省略する。
【００２３】
第１の実施の形態と同様に、ダンパー装置１は、樹脂製のダンパーベース２と、樹脂製のダンパー固定板３と、樹脂製のダンパーカバー４からなり、ダンパーベース２にはマイクロスイッチ５と、モータ６と、カム７を収納し、このカム７とカム側シャフト１３ａとダンパー側シャフト１３ｂで構成されたシャフト１３で固定している。
【００２４】
ダンパー固定板３には、複数切り込まれた折線１７ａと小孔１７ｂと位置指示部１７ｃと位置指示部１７ｄを有している。ダンパー板１０は、ダンパー装置１のダンパー開口部１ａよりシャフト１３を導出して接続される。ダンパー板１０には、丸穴９を有する突起部８と角穴１８ａと角穴１８ｂと小孔１８ｃを有している。位置指示部１７ｃに角穴１８ａを挿入し、位置指示部１７ｄに角穴１８ｂを挿入し、小孔１７ｂと丸穴９を連通するねじ１９で留めることにより、ダンパー固定板３にダンパー板１０の位置を確定して固定することができる。
【００２５】
ダンパー固定板３は折線１７ａで切り込み折り曲げが自由になる構造で結合し、突起部８にある丸穴９とダンパー側シャフト１３ｂを固定している。従って、モータ６の回転運動がカム７に伝達し、カム７の回転運動がシャフト１３の往復運動に変化させ、折線１７ａを中心軸としてダンパー板１０が回転運動を行う。
【００２６】
上記構成おいて、ダンパー固定板３の折線１７ａは、複数切り込みが入っているので、ダンパー板１０の丸穴９を有する突起部８と角穴１８ａと角穴１８ｂと小孔１８ｃの位置を変えることで、ダンパー板１０が回転運動するときの中心軸となる任意の折線１７ａと小孔１７ｂを利用することができる。
【００２７】
そして、本発明によれば、ダンパー装置１の回転軸を複数ある折線１７ａとして簡略化しながら、突起部８の丸穴９の位置や折線１７ａの位置によって、ダンパー板１０の開く開閉角度範囲とダンパー板の位置を任意に変化させることができ、製品ごとに異なるダンパーの大きさや位置や開閉角度範囲に対応することができる。
【産業上の利用可能性】
【００２８】
本発明にかかる換気機器用ダンパー装置は、ダンパーの開く開閉角度範囲や回転軸を容易に任意変化させることができる換気機器用ダンパー装置となるので、建物内に据え付けられて使用される普通換気と熱交換気の風路切り変える熱交換機器など、換気風路の切り替えを行う換気機器に装着されるダンパー装置等として有用である。
【符号の説明】
【００２９】
１      ダンパー装置
１ａ    ダンパー開口部
２      ダンパーベース
３      ダンパー固定板
４      ダンパーカバー
５      マイクロスイッチ
６      モータ
７      カム
８      突起部
９      丸穴
１０    ダンパー板
１１    軸穴
１２    固定穴
１３    シャフト
１３ａ  カム側シャフト
１３ｂ  ダンパー側シャフト
１３ｃ  シャフト穴
１４    壁面
１５    開口
１６    角度
１７ａ  折線
１７ｂ  小孔
１７ｃ  位置指示部
１７ｄ  位置指示部
１８ａ  角穴
１８ｂ  角穴
１８ｃ  小孔
１９    ねじ
【図１】
2011237114.tif 000003
【図２】
2011237114.tif 000004
【図３】
2011237114.tif 000005
【図４】
2011237114.tif 000006
【図５】
2011237114.tif 000007
【図６】
2011237114.tif 000008
【図７】
2011237114.tif 000009
【図８】
2011237114.tif 000010